(57)【特許請求の範囲】
【請求項１】
モバイル端末の画像を管理するための方法であって、画像ファイル情報と画像ファイルのストレージディレクトリ情報とを記録するログファイルが前記モバイル端末において維持され、当該方法は、
前記モバイル端末によって、前記モバイル端末において記憶されている画像ファイル及び前記画像ファイルのファイルストレージディレクトリの変更を監視し、何らかの変更が検出された場合は、前記検出された変更に従って前記ログファイルを更新するステップと、
前記モバイル端末によって、前記モバイル端末が他の端末装置に接続された時に前記ログファイルを前記他の端末装置における画像管理システムに提供し、その結果、前記他の端末装置が前記ログファイルに従って前記モバイル端末における前記画像ファイルを管理するステップと、
を含み、
前記検出された変更に従って前記ログファイルを更新する前記ステップは、
前記モバイル端末によって、画像ファイル変更情報と前記画像ファイルのストレージディレクトリ変更情報とを取得するために、非画像ファイル変更情報と非画像ファイルのストレージディレクトリ変更情報とをフィルタアウトするサブステップと、
前記モバイル端末によって、前記画像ファイル変更情報と前記画像ファイルの前記ストレージディレクトリ変更情報とを前記ログファイルに記録するサブステップと、
を含む、方法。
【請求項２】
前記モバイル端末によってサポートされた画像ファイルのサフィックスのリストが前記モバイル端末に記憶され、前記モバイル端末によって、非画像ファイル変更情報及び／又は非画像ファイルのストレージディレクトリ変更情報をフィルタアウトする前記サブステップが、
ファイルが追加若しくは削除されるか又はファイル属性が変更されると、前記モバイル端末によって、前記変更されたファイルのサフィックスを画像ファイルのサフィックスの前記リストと比較し、サフィックスがサフィックスの前記リストにないファイルを、前記検出されたファイル及びファイルストレージディレクトリ変更情報から削除すること、並びに／或いは
ファイルが１つのファイルストレージディレクトリから別のファイルストレージディレクトリに移された時に前記モバイル端末によって、前記変更されたファイルのサフィックスを画像ファイルのサフィックスの前記リストと比較し、サフィックスがサフィックスの前記リストにないファイルを、前記検出されたファイル及びファイルストレージディレクトリ変更情報から削除すること
をさらに含む、請求項１に記載の方法。
【請求項３】
前記モバイル端末によって、前記ログファイルを前記他の端末装置に提供する前記ステップが、
前記モバイル端末が前記他の端末装置に接続された時に前記ログファイルを前記他の端末装置における画像管理システムに送信するサブステップ、又は
前記他の端末装置における前記画像管理システムによって、前記モバイル端末が前記他の端末装置に接続された時に前記ログファイルを取得するために前記モバイル端末をスキャンするサブステップ
を含む、請求項１に記載の方法。
【請求項４】
モバイル端末であって、
画像ファイル情報と画像ファイルのストレージディレクトリ情報とを記録するログファイルを記憶するように構成されたログ記憶モジュールと、
前記モバイル端末において記憶されている画像ファイル及び前記画像ファイルのファイルストレージディレクトリの変更を監視するように構成された監視モジュールと、
前記監視モジュールが何らかの変更を検出した時に、前記検出された変更に従って前記ログファイルを更新するように構成されたログ更新モジュールと、
前記モバイル端末が他の端末装置に接続された時に前記ログ記憶モジュールに記憶されている前記ログファイルを前記他の端末装置における画像管理システムに送信し、その結果、前記他の端末装置が前記ログファイルに従って前記モバイル端末における画像ファイルを管理するように構成されている送信モジュールと、
を備えており、
前記ログ更新モジュールが、詳細には、非画像ファイル変更情報と非画像ファイルのストレージディレクトリ変更情報とをフィルタアウトし、画像ファイル変更情報と前記画像ファイルのストレージディレクトリ変更情報とを記録するように構成され、
前記ログ記憶モジュールが、詳細には、前記ログ更新モジュールによって取得された前記画像ファイルのストレージディレクトリ変更情報と前記画像ファイル変更情報とを記録する前記ログファイルを記憶するように構成されている、
モバイル端末。
【請求項５】
前記モバイル端末によってサポートされた画像ファイルのサフィックスのリストが前記モバイル端末に記憶され、
前記ログ更新モジュールが、ファイルが追加若しくは削除されるか又はファイル属性が変更されると、前記変更されたファイルのサフィックスを画像ファイルのサフィックスの前記リストと比較し、サフィックスがサフィックスの前記リストにないファイルを、前記検出されたファイル及びファイルストレージディレクトリ変更情報から削除し、並びに／或いは
ファイルが１つのファイルストレージディレクトリから別のファイルストレージディレクトリに移された時に、前記変更されたファイルのサフィックスを画像ファイルのサフィックスの前記リストと比較し、サフィックスがサフィックスの前記リストにないファイルを、前記検出されたファイル及びファイルストレージディレクトリ変更情報から削除するように構成されている、
請求項４に記載のモバイル端末。
【請求項６】
命令セットを記憶する機械可読媒体であって、前記命令セットが実行される時に機械が請求項１〜３のいずれか一項に記載の方法を実行する、機械可読媒体。
【請求項７】
画像管理装置であって、
命令と、画像ファイル情報と画像ファイルのストレージディレクトリ情報とを記録するログファイルと、を記憶するように構成されたメモリと、
前記メモリに結合され、前記メモリ内の前記命令を実行し、モバイル端末において記憶されている画像ファイル及び前記画像ファイルのファイルストレージディレクトリの変更を監視し、何らかの変更が検出された場合は、画像ファイル変更情報と前記画像ファイルのストレージディレクトリ変更情報を取得するために非画像ファイル変更情報と非画像ファイルのストレージディレクトリ変更情報とをフィルタアウトし前記画像ファイル変更情報と前記画像ファイルの前記ストレージディレクトリ変更情報とを前記ログファイルに記録することによって、前記検出された変更に従って前記ログファイルを更新するように構成されたプロセッサであって、その際、前記モバイル端末が他の端末装置に接続された時に前記モバイル端末が前記ログファイルを前記他の端末装置に提供し、その結果、前記他の端末装置が前記ログファイルに従って前記モバイル端末における前記画像ファイルを管理する、プロセッサと
を備える装置。
【請求項８】
前記モバイル端末によってサポートされた画像ファイルのサフィックスのリストが前記メモリに記憶されており、前記プロセッサが、
ファイルが追加若しくは削除されるか又はファイル属性が変更されると、変更されたファイルのサフィックスを画像ファイルのサフィックスの前記リストと比較し、サフィックスがサフィックスの前記リストにないファイルを、前記検出されたファイル及びファイルストレージディレクトリ変更情報から削除し、並びに／或いは
ファイルが１つのファイルストレージディレクトリから別のファイルストレージディレクトリに移された時に、変更されたファイルのサフィックスを画像ファイルのサフィックスの前記リストと比較し、サフィックスがサフィックスの前記リストにないファイルを、前記検出されたファイル及びファイルストレージディレクトリ変更情報から削除する
ようにさらに構成されている、請求項７に記載の装置。
【請求項９】
前記プロセッサが、
前記モバイル端末が前記他の端末装置に接続された時に前記ログファイルを前記他の端末装置における画像管理システムに送信する、又は
前記モバイル端末が前記他の端末装置に接続された時に前記他の端末装置における前記画像管理システムが前記ログファイルを取得するために前記モバイル端末をスキャンする
ようにさらに構成されている、請求項７に記載の装置。
【請求項１０】
前記他の端末装置がポータブルコンピュータ及びデスクトップコンピュータのうちの１つである、請求項７〜９のいずれか一項に記載の装置。
【発明の詳細な説明】
【関連出願の相互参照】
【０００１】
[0001]本出願は、参照によりその全体が本明細書に組み込まれている、２０１１年１２月２７日に中国特許局に出願した、「ＭＥＴＨＯＤ  ＡＮＤ  ＤＥＶＩＣＥ  ＦＯＲ  ＭＡＮＡＧＩＮＧ  ＰＩＣＴＵＲＥＳ  ＯＦ  ＭＯＢＩＬＥ  ＴＥＲＭＩＮＡＬ」という名称の、中国特許出願第２０１１１０４４４３７００号の優先権を主張するものである。
【技術の分野】
【０００２】
[0002]本発明は、通信技術の分野に関し、詳細には、モバイル端末の画像を管理するための方法及び装置に関する。
【発明の背景】
【０００３】
[0003]マルチメディア及びコンピュータ技術の急速な発展に伴い、モバイル端末のタイプはますます多くなっている。例えば、スマートフォン、タブレット、手書きコンピュータ等もますますポピュラーになってきており、人々の日常生活に不可欠な役割を果たしている。そのようなモバイル端末は、画像管理により高い要件を課す撮影、画像ブラウズ及び画像処理に関して強力な機能を提供する。
【０００４】
[0004]現在のところ、他の端末装置（例えば、ＰＣ、ノートブックコンピュータ等）におけるピカサ（Ｐｉｃａｓｓａ）等、ほとんどのタイプの画像管理ソフトウェアは、独立して動作することができるモバイル端末のために特別の画像同期処理を実行するのではなく、画像のデータ更新を監視するために他の端末装置において従来のスキャン又はバックグラウンドプロセスを実行する。
【０００５】
[0005]画像がＰＣ上で管理される場合、通常のＮＴＦＳフォーマットされたディスクに関して、ＮＴＦＳ変更ジャーナル（ＮＴＦＳファイルシステムによって維持されているログファイル）は、画像ファイル又はパーティションのディレクトリの変更を監視することができる。モバイル端末がデータケーブル又はＷＩＦＩ等によって他の端末装置に接続されている場合は、画像管理ソフトウェアは、一般に、モバイル端末をディスクとして管理する。しかし、モバイル端末にはＮＴＦＳ変更ジャーナルと同様のログファイルは維持されておらず、これは、画像ファイル及びディレクトリの変更を監視することを難しくする。
【０００６】
[0006]現在のところ、他の端末装置に適用される画像管理ソフトウェアは、モバイル端末の画像情報を同期する時にモバイル端末の画像ファイルをスキャンするか又は他の端末装置においてプロセスを実行することにより、画像ファイルの変更を監視する。しかし、画像管理ソフトウェアは、モバイル装置が他の端末装置から切断された後に継続して監視し続けることができず、接続が回復された時にスキャン又はプロセスを再度実行しなければならない。モバイル端末の記憶容量が増加しているので、接続が回復するたびに再スキャンを実行するのは非常に時間がかかる。さらに、モバイル端末の画像変更を監視するために、モバイル端末の画像ファイルが再度スキャンされるか又は独立したバックグラウンドプロセスが他の端末装置において動作するかにかかわらず、システムリソースが大量に占有される。
【発明の概要】
【０００７】
[0007]本発明の諸実施形態は、モバイル端末が他の端末装置と再接続された後にシステムリソースがモバイル端末のために実行される画像スキャン又は監視によって占有されるという問題を解決するために、モバイル端末の画像を管理するための方法及び装置を提供する。
【０００８】
[0008]本発明の諸実施形態は、以下の技術的解決策を提案する。
【０００９】
[0009]本発明の一実施形態は、モバイル端末の画像を管理するための方法を提供し、ここでは、画像ファイル及び画像ファイルストレージディレクトリ情報を記録するために、ログファイルがモバイル端末において維持される。本方法は以下のステップを含む。
【００１０】
[0010]モバイル端末によって、モバイル端末において記憶されている画像ファイル及び画像ファイルのファイルストレージディレクトリの変更を監視し、何らかの変更が検出された場合は、検出された変更に従ってログファイルを更新するステップ、並びに
【００１１】
[0011]モバイル端末によって、モバイル端末が他の端末装置に接続された時に他の端末装置にログファイルを提供し、その結果、他の端末装置がそのログファイルに従ってモバイル端末における画像ファイルを管理するステップ。
【００１２】
[0012]さらに、本発明の一実施形態は、下記を含むモバイル端末を提供する。
【００１３】
[0013]画像ファイル及び画像ファイルストレージディレクトリ情報を記録するログファイルを記憶するように構成されたログ記憶モジュール、
【００１４】
[0014]モバイル端末において記憶されている画像ファイル及び画像ファイルのファイルストレージディレクトリを監視するように構成された監視モジュール、並びに
【００１５】
[0015]監視モジュールが何らかの変更を検出した時に、検出された変更に従ってログファイルを更新するように構成されたログ更新モジュール。その際、
【００１６】
[0016]モバイル端末は、モバイル端末が他の端末装置に接続された時に、ログ記憶モジュールに記憶されているログファイルを他の端末装置に提出し、その結果、他の端末装置は、そのログファイルに従ってモバイル端末における画像ファイルを管理する。
【００１７】
[0017]さらに、本発明の一実施形態は、命令セットを記憶する機械可読媒体を提供し、この場合、機械は、命令セットが実行される時に、画像を管理するための方法を実行することができる。
【００１８】
[0018]さらに、本発明の一実施形態は、命令と、画像ファイル及び画像ファイルストレージディレクトリ情報を記録するログファイルとを記憶するように構成されたメモリ、並びにメモリに結合され、メモリ内の命令を実行し、画像を管理するための方法を実行するように構成されたプロセッサを含む画像管理装置を提供する。
【００１９】
[0019]本発明の諸実施形態における方法及び装置では、モバイル端末における画像変更に対するリアルタイム監視を実行するように、モバイル端末の独立した動作機能を使用することにより、画像ファイルの変更及び画像ファイルのストレージディレクトリの変更を記録するために、ログファイルがモバイル端末において設定される。モバイル端末が他の端末装置に接続されるたびに、他の端末装置は、画像データを再スキャンすることも、モバイル端末の画像変更を監視するために監視プロセスを別々に実行することもなく、ログファイルを読むだけでモバイル端末における画像の変更を知る。したがって、モバイル端末において画像データを同期することは、ローカルディスク上での同期と同じくらい簡単で高速であり、占有されるシステムリソースはより少ない。
【図面の簡単な説明】
【００２０】
【図１】本発明の一実施形態によるモバイル端末の画像を管理するための方法の概略流れ図である。
【図２】本発明の一実施形態によるモバイル端末におけるログファイルを取得するＰＣの概略図である。
【図３】本発明の一実施形態によるモバイル端末の概略構造図である。
【実施形態の詳細な説明】
【００２１】
[0023]本発明の諸実施形態は、ＮＴＦＳ変更ジャーナルと同様のログファイルがモバイル端末の独立した動作機能を使用することにより設定され、したがって、他の端末装置の画像管理ソフトウェアが、ローカルディスクを管理するのと同じ方法でモバイル端末の画像を管理することができ、ここでは、ログファイルは他の端末装置の画像管理ソフトウェアによってエンコード及びデコード可能なフォーマットで構成される、解決策を提案する。このようにして、たとえモバイル端末が切断され、次いで他の端末装置に再接続されても、モバイル端末における画像ファイルを再スキャンする必要も、モバイル端末の画像変更を監視するために監視プロセスを再開する必要もない。他の端末装置は、ポータブル端末でも、タブレットでも、又はデスクトップコンピュータでもよい。本発明の諸実施形態では、他の端末装置は画像管理ソフトウェアを有するＰＣであると仮定される。
【００２２】
[0024]下記は、本発明の諸実施形態における添付の図面を参照しながら本発明の技術的解決策を明瞭に及び十分に説明する。明らかに、以下の説明における諸実施形態は、本発明の諸実施形態のすべてではなく単に一部にすぎない。本発明の実施形態に基づいて創造的努力なしに当業者によって取得されたすべての他の実施形態は、本発明の保護範囲に入るものとする。
【００２３】
[0025]図１は、本発明の一実施形態によるモバイル端末の画像を管理するための方法の概略流れ図である。ログファイルがモバイル端末において設定される。このログファイルは、モバイル端末における画像ファイル情報及び／又は画像ファイルストレージディレクトリ情報を記録し、ファイルシステムによって維持される。データ又はデータストレージディレクトリが変わると、変更されたデータ又はデータストレージディレクトリの情報、及び作成、削除、改名等の変更のタイプを記述するために、レコードがログファイルに追加される。各レコードは、以下のフォーマットのものである。変更時間、変更タイプ、及び変更されたファイルの経路。変更タイプが「改名」である場合は、フォーマットは、改名されたファイルの経路をも含む。レコードが追加される場合、レコードは、ログファイルの端部に追加される。
【００２４】
[0026]図１に示されているように、モバイル端末の画像を管理するための方法は、以下のステップを含む。
【００２５】
[0027]ステップ１０１：モバイル端末がモバイル端末におけるファイル変更情報及び／又はファイルストレージディレクトリ変更情報を監視する。
【００２６】
[0028]詳細には、モバイル端末は、ファイル変更情報及び／又はファイルストレージディレクトリ変更情報を取得するために、監視モジュールを使用してシステムがＡＰＩ（アプリケーションプログラミングインターフェース）を呼び出すことに関する情報を監視する、例えば、作成及び削除等の動作を実行するためにシステムがＡＰＩを呼び出すのを監視する。ファイルは、画像ファイル及び非画像ファイルを含む。
【００２７】
[0029]ステップ１０２：モバイル端末が非画像ファイル変更情報及び／又は非画像ファイルストレージディレクトリ変更情報をフィルタアウトし（filter out）、画像ファイル変更情報及び／又は画像ファイルストレージディレクトリ変更情報を取得する。
【００２８】
[0030]詳細には、モバイル端末の監視モジュールが画像ファイル又は画像ファイルストレージディレクトリの何らかの変更を検出した場合、モバイル端末のログ更新モジュールがログファイルから非画像ファイル変更情報又は非画像ファイルストレージディレクトリ変更情報をフィルタアウトし、したがって、ログファイルは、画像ファイル変更情報及び／又は画像ファイルストレージディレクトリ変更情報を保持し続ける。
【００２９】
[0031]好ましくは、非画像ファイル変更情報又は非画像ファイルストレージディレクトリ変更情報は、以下の方法でフィルタアウトされてもよい。
【００３０】
[0032]非画像ファイルは、ファイル名サフィックスを判定することによりフィルタアウトされてもよい。例えば、モバイル端末によってサポートされた画像ファイルのサフィックスのリストがモバイル端末に予め設定されている。ファイルが追加若しくは削除されるか又はファイル属性が変更されると、モバイル端末は、変更されたファイルのサフィックスを画像ファイルのサフィックスのリストと比較し、サフィックスがサフィックスのリストにないファイルを監視されたファイル変更情報及び／又はファイルストレージディレクトリ変更情報から削除する。ファイルが１つのディレクトリから別のディレクトリに移された時に、モバイル端末は、変更されたファイルのサフィックスを画像ファイルのサフィックスのリストと比較し、サフィックスがサフィックスのリストにないファイルを監視されたファイル変更情報及び／又はファイルストレージディレクトリ変更情報から削除する。
【００３１】
[0033]ステップ１０３：モバイル端末が検出された画像ファイル変更情報及び／又は画像ファイルストレージディレクトリ変更情報に従ってログファイルを更新する。
【００３２】
[0034]詳細には、ログ更新モジュールがログファイルから非画像ファイル変更情報又は非画像ファイルストレージディレクトリ変更情報をフィルタアウトした後に、モバイル端末のログ記憶モジュールが更新されたログファイルを取得するために画像ファイル変更情報又は画像ファイルストレージディレクトリ変更情報を記憶する。
【００３３】
[0035]モバイル端末がＰＣに接続された時に、モバイル端末はＰＣにログファイルを提出し、その結果、ＰＣはそのログファイルによってモバイル端末における画像ファイルを管理する。
【００３４】
[0036]モバイル端末は、ＰＣに接続された時に、ログファイルをＰＣ上の画像管理システムに送信し、その結果、ＰＣは、そのログファイル内の画像ファイル変更情報及び／又は画像ファイルストレージディレクトリ変更情報に従ってモバイル端末の画像を管理することが好ましい。
【００３５】
[0037]モバイル端末がＰＣに接続された時に、モバイル端末はログファイルを送信しなくてもよいが、ＰＣ上の画像管理システムは、モバイル端末をスキャンしてログファイルを取得し、その結果、ＰＣは、そのログファイル内の画像ファイル変更情報及び／又は画像ファイルストレージディレクトリ変更情報に従ってモバイル端末の画像を管理する。
【００３６】
[0038]モバイル端末におけるログファイルはリアルタイムで更新されるので、画像ファイルが変わるか又は画像ファイルのストレージディレクトリが変わると、モバイル端末は変更を検出し、ログファイルを更新する。したがって、モバイル端末がＰＣに接続された時に、ＰＣは、モバイル端末における画像ファイルに関する現在の情報を取得し、モバイル端末の画像を迅速に及び都合よく管理する。
【００３７】
[0039]モバイル端末の独立した動作機能を使用し、ログファイルを維持することにより、モバイル端末は、画像ファイル変更情報及び／又は画像ファイルストレージディレクトリ変更情報を監視する。したがって、監視はよりパンクチュアルであり、モバイル端末における画像ファイル変更情報はリアルタイムで取得され、監視動作はモバイル端末によって実行され、画像データの反復スキャン又は反復監視は回避され、占有されるシステムリソースはより少ない。
【００３８】
[0040]図２は、本発明の一実施形態によるモバイル端末におけるログファイルを取得するＰＣの概略図である。
【００３９】
[0041]ＮＴＦＳファイルシステムによって維持されているログファイル「変更ジャーナル」がＰＣ上に設定される。「変更ジャーナル」ログファイルは、ディスクパーティション上のデータ変更情報を記録するためにＰＣの各ディスクパーティション上に構成される。変更ジャーナルは、ボリューム上のファイルである。ファイルシステム内のファイル又はストレージディレクトリが変わると、レコードがログファイルに追加される。レコードは概して、ファイル名、変更時間、変更タイプ（作成、削除、改名等）を含む。実際のデータは記録されない。このようにして、ログファイルは十分に小さい。ＰＣ上の画像管理ソフトウェアは、リアルタイムで各ディスクの「変更ジャーナル」ログファイルを読み、そのログファイルからディスクパーティションの画像変更情報を取得することができる。
【００４０】
[0042]ＰＣ上に維持されている変更ジャーナルファイルと同様に、モバイル端末において設定されたログファイルは、データ変更情報を記録するために使用される。モバイル端末がＰＣに接続された時に、モバイル端末は、ＰＣによってディスクとして識別されてもよい。ＰＣ上の画像管理ソフトウェアは、モバイル端末におけるログファイルを読み、モバイル端末の画像ファイル変更情報及び／又は画像ファイルストレージディレクトリ変更情報を取得し、モバイル端末の画像を、ローカルディスクを管理するのと同じ方法で管理することができる。この方法は、ＰＣ上の画像管理ソフトウェアに、モバイル端末においての画像同期を十分に透明な方法で処理させる。
【００４１】
[0043]本発明の実施形態におけるモバイル端末の画像を管理するための方法では、モバイル端末における画像変更に対するリアルタイム監視を実行するように、モバイル端末の独立した動作機能を使用することにより、画像ファイルの変更及び画像ファイルのストレージディレクトリの変更を記録するために、ログファイルがモバイル端末において設定される。モバイル端末が他の端末装置に接続されるたびに、他の端末装置は、画像データを再スキャンすることも、モバイル端末の画像変更を監視するために監視プロセスを別々に実行することもなく、ログファイルを読むだけでモバイル端末における画像の変更を知る。したがって、モバイル端末において画像データを同期することは、ローカルディスク上での同期と同じくらい簡単で高速であり、占有されるシステムリソースはより少ない。
【００４２】
[0044]同じ概念に基づいて、本発明の一実施形態は、モバイル端末を提供する。図３に示されているように、端末は下記を含む。
【００４３】
[0045]画像ファイル情報及び／又は画像ファイルストレージディレクトリ情報を記録するログファイルを記憶するように構成されたログ記憶モジュール３１、
【００４４】
[0046]画像ファイルの変更及び／又は画像ファイルのストレージディレクトリの変更を監視するように構成された監視モジュール３２、並びに
【００４５】
[0047]監視モジュール３２が画像ファイルの何らかの変更又は画像ファイルのストレージディレクトリの変更を検出すると、監視モジュール３２によって検出された変更に従ってログファイルを更新するように構成されたログ更新モジュール３３。
【００４６】
[0048]モバイル端末が他の端末装置に接続された時に、ログ記憶モジュール３１に記憶されているログファイルを他の端末装置に提出し、その結果、他の端末装置は、そのログファイルに従ってモバイル端末における画像ファイルを管理する。
【００４７】
[0049]詳細には、監視モジュール３２は、モバイル端末におけるファイル変更情報及び／又はファイルストレージディレクトリ変更情報を監視するように構成されている。
【００４８】
[0050]ログ更新モジュール３３は、詳細には、非画像ファイル変更情報及び非画像ファイルストレージディレクトリ変更情報をフィルタアウトし、画像ファイル変更情報及び／又は画像ファイルストレージディレクトリ変更情報を記録するように構成されている。
【００４９】
[0051]ログ記憶モジュール３１は、詳細には、ログ更新モジュール３３によって取得された画像ファイル変更情報及び／又は画像ファイルストレージディレクトリ変更情報を記録するログファイルを記憶するように構成されている。
【００５０】
[0052]詳細には、モバイル端末によってサポートされた画像ファイルのサフィックスのリストがモバイル端末に予め設定されている。ログ更新モジュール３３は、ファイルが追加若しくは削除されるか又はファイル属性が変更されると、変更されたファイルのサフィックスを画像ファイルのサフィックスのリストと比較し、サフィックスがサフィックスのリストにないファイルを監視されたファイル変更情報及び／又はファイルストレージディレクトリ変更情報から削除し、ファイルが１つのディレクトリから別のディレクトリに移された時に、変更されたファイルのサフィックスを画像ファイルのサフィックスのリストと比較し、サフィックスがサフィックスのリストにないファイルを監視されたファイル変更情報及び／又はファイルストレージディレクトリ変更情報から削除するように構成されている。
【００５１】
[0053]モバイル端末は、モバイル端末が他の端末装置に接続された時にログ記憶モジュール３１に記憶されているログファイルを他の端末装置における画像管理システムに送信するように構成された送信モジュール３４をさらに含む。
【００５２】
[0054]さらに、本発明の一実施形態は、画像管理装置を提供する。画像管理装置は、スマートフォンでも、タブレットでも、又は手書きコンピュータでもよく、画像管理装置は、命令並びに画像ファイル及び画像ファイルストレージディレクトリ情報を記録するログファイルを記憶するように構成されたメモリと、メモリに結合されたプロセッサとを含む。プロセッサは、メモリ内の命令を実行し、画像を管理するための方法の様々な実施形態を実行するように構成されている。
【００５３】
[0055]本発明の実施形態において提供される装置内のモジュールは、本明細書に記載の方法で装置内に分散されてもよく、又は異なる方法で１つ又は複数の装置に配置されてもよいことを当業者は理解するはずである。モジュールは、１つに結合されてもよく、又は複数のサブモジュールに分割されてもよい。
【００５４】
[0056]上記の諸実施形態の説明によれば、本発明はハードウェアのみによって実装されてもよく、又はほとんどの環境においては、ソフトウェア及びハードウェアプラットフォームによって実装されることが好ましいことを当業者は理解する。本発明の技術的解決策の本質又は先行技術に寄与する部分は、ソフトウェア製品に組み込まれてもよい。ソフトウェア製品は、コンピュータフロッピーディスク、ハードディスク又は光ディスク等の記憶媒体に記憶され、いくつかの命令を含み、この場合、命令は、端末装置（例えば、モバイルフォン、パーソナルコンピュータ、サーバ、又はネットワーク装置）に本発明の諸実施形態による方法を実行させる。代替として、汎用ハードウェア装置が、本発明の諸実施形態において開示された解決策を実行するように本発明の諸実施形態において開示された装置として構成される。
【００５５】
[0057]前述の諸実施形態は本発明の単に好ましい実施形態にすぎないことが留意されるべきであり、当業者は、本発明の原理から逸脱することなく様々な改善及び改良を行ってもよい。すべてのそのような変更形態及び改良形態は、本発明の範囲によってカバーされるものとする。
［発明の例］
［例１］
モバイル端末の画像を管理するための方法であって、画像ファイル及び画像ファイルストレージディレクトリ情報を記録するためのログファイルが前記モバイル端末において維持され、当該方法は、
前記モバイル端末によって、前記モバイル端末において記憶されている画像ファイル及び前記画像ファイルのファイルストレージディレクトリの変更を監視し、何らかの変更が検出された場合は、前記検出された変更に従って前記ログファイルを更新するステップと、
前記モバイル端末によって、前記モバイル端末が他の端末装置に接続された時に前記ログファイルを前記他の端末装置に提供し、その結果、前記他の端末装置が前記ログファイルに従って前記モバイル端末における前記画像ファイルを管理するステップと、
を含む方法。
［例２］
前記検出された変更に従って前記ログファイルを更新する前記ステップが、
前記モバイル端末によって、画像ファイル変更情報及び画像ファイルストレージディレクトリ変更情報を取得するために、非画像ファイル変更情報及び非画像ファイルストレージディレクトリ変更情報をフィルタアウトするサブステップと、
前記モバイル端末によって、前記画像ファイル変更情報及び前記画像ファイルストレージディレクトリ変更情報を前記ログファイルに記録するサブステップと、
をさらに含む、例１に記載の方法。
［例３］
前記モバイル端末によってサポートされた画像ファイルのサフィックスのリストが前記モバイル端末に記憶され、前記モバイル端末によって、非画像ファイル変更情報及び／又は非画像ファイルストレージディレクトリ変更情報をフィルタアウトする前記サブステップが、
ファイルが追加若しくは削除されるか又はファイル属性が変更されると、前記モバイル端末によって、前記変更されたファイルのサフィックスを画像ファイルのサフィックスの前記リストと比較し、サフィックスがサフィックスの前記リストにないファイルを、前記検出されたファイル及びファイルストレージディレクトリ変更情報から削除すること、並びに／或いは
ファイルが１つのファイルストレージディレクトリから別のファイルストレージディレクトリに移された時に前記モバイル端末によって、前記変更されたファイルのサフィックスを画像ファイルのサフィックスの前記リストと比較し、サフィックスがサフィックスの前記リストにないファイルを、前記検出されたファイル及びファイルストレージディレクトリ変更情報から削除すること
をさらに含む、例２に記載の方法。
［例４］
前記モバイル端末によって、前記ログファイルを前記他の端末装置に提供する前記ステップが、
前記モバイル端末が前記他の端末装置に接続された時に前記ログファイルを前記他の端末装置における画像管理システムに送信するサブステップ、又は
前記他の端末装置における前記画像管理システムによって、前記モバイル端末が前記他の端末装置に接続された時に前記ログファイルを取得するために前記モバイル端末をスキャンするサブステップ
を含む、例１に記載の方法。
［例５］
前記他の端末装置がポータブルコンピュータ及びデスクトップコンピュータのうちの１つである、例１〜４のいずれか一項に記載の方法。
［例６］
モバイル端末であって、
画像ファイル及び画像ファイルストレージディレクトリ情報を記録するログファイルを記憶するように構成されたログ記憶モジュールと、
前記モバイル端末において記憶されている画像ファイル及び前記画像ファイルのファイルストレージディレクトリの変更を監視するように構成された監視モジュールと、
前記監視モジュールが何らかの変更を検出した時に、前記検出された変更に従って前記ログファイルを更新するように構成されたログ更新モジュールと、
を備えるモバイル端末。
［例７］
前記ログ更新モジュールが、詳細には、非画像ファイル変更情報及び非画像ファイルストレージディレクトリ変更情報をフィルタアウトし、画像ファイル変更情報及び画像ファイルストレージディレクトリ変更情報を記録するように構成され、
前記ログ記憶モジュールが、詳細には、前記ログ更新モジュールによって取得された前記画像ファイル変更情報及び画像ファイルストレージディレクトリ変更情報を記録する前記ログファイルを記憶するように構成されている、
例６に記載のモバイル端末。
［例８］
前記モバイル端末によってサポートされた画像ファイルのサフィックスのリストが前記モバイル端末に記憶され、
前記ログ更新モジュールが、ファイルが追加若しくは削除されるか又はファイル属性が変更されると、前記変更されたファイルのサフィックスを画像ファイルのサフィックスの前記リストと比較し、サフィックスがサフィックスの前記リストにないファイルを、前記検出されたファイル及びファイルストレージディレクトリ変更情報から削除し、並びに／或いは
ファイルが１つのファイルストレージディレクトリから別のファイルストレージディレクトリに移された時に、前記変更されたファイルのサフィックスを画像ファイルのサフィックスの前記リストと比較し、サフィックスがサフィックスの前記リストにないファイルを、前記検出されたファイル及びファイルストレージディレクトリ変更情報から削除するように構成されている、
例７に記載のモバイル端末。
［例９］
前記モバイル端末が他の端末装置に接続された時に前記ログ記憶モジュールに記憶されている前記ログファイルを前記他の端末装置における画像管理システムに送信し、その結果、前記他の端末装置が前記ログファイルに従って前記モバイル端末における画像ファイルを管理するように構成されている送信モジュールをさらに備える、
例６に記載のモバイル端末。
［例１０］
命令セットを記憶する機械可読媒体であって、前記命令セットが実行される時に前記機械が例１〜５のいずれか一項に記載の方法を実行する、機械可読媒体。
［例１１］
画像管理装置であって、
命令と、画像ファイル及び画像ファイルストレージディレクトリ情報を記録するログファイルと、を記憶するように構成されたメモリと、
前記メモリに結合され、前記メモリ内の前記命令を実行し、モバイル端末において記憶されている画像ファイル及び前記画像ファイルのファイルストレージディレクトリの変更を監視し、何らかの変更が検出された場合は、前記検出された変更に従って前記ログファイルを更新するように構成されたプロセッサであって、その際、前記モバイル端末が他の端末装置に接続された時に前記モバイル端末が前記ログファイルを前記他の端末装置に提供し、その結果、前記他の端末装置が前記ログファイルに従って前記モバイル端末における前記画像ファイルを管理する、プロセッサと
を備える装置。
［例１２］
前記プロセッサが、
画像ファイル変更情報及び画像ファイルストレージディレクトリ変更情報を取得するために、非画像ファイル変更情報及び非画像ファイルストレージディレクトリ変更情報をフィルタアウトし、
前記画像ファイル変更情報及び前記画像ファイルストレージディレクトリ変更情報を前記ログファイルに記録する
ようにさらに構成されている、例１１に記載の装置。
［例１３］
前記端末によってサポートされた画像ファイルのサフィックスのリストが前記メモリに記憶されており、前記プロセッサが、
ファイルが追加若しくは削除されるか又はファイル属性が変更されると、変更されたファイルのサフィックスを画像ファイルのサフィックスの前記リストと比較し、サフィックスがサフィックスの前記リストにないファイルを、前記検出されたファイル及びファイルストレージディレクトリ変更情報から削除し、並びに／或いは
ファイルが１つのファイルストレージディレクトリから別のファイルストレージディレクトリに移された時に、変更されたファイルのサフィックスを画像ファイルのサフィックスの前記リストと比較し、サフィックスがサフィックスの前記リストにないファイルを、前記検出されたファイル及びファイルストレージディレクトリ変更情報から削除する
ようにさらに構成されている、例１２に記載の装置。
［例１４］
前記プロセッサが、
前記端末が前記他の端末装置に接続された時に前記ログファイルを前記他の端末装置における画像管理システムに送信する、又は
前記端末が前記他の端末装置に接続された時に前記他の端末装置における前記画像管理システムが前記ログファイルを取得するために前記モバイル端末をスキャンする
ようにさらに構成されている、例１１に記載の装置。
［例１５］
前記他の端末装置がポータブルコンピュータ及びデスクトップコンピュータのうちの１つである、例１１〜１４のいずれか一項に記載の装置。
【図１】
0005870468.tif 000002
【図２】
0005870468.tif 000003
【図３】
0005870468.tif 000004